(57)【要約】      （修正有）【課題】単独で電飾として使用でき、各種電子設備或いは各種物品と結合して導線の不可価値を加えることが可能なコードの構造を提供する。【解決手段】少なくとも一つの発光素子１０と、少なくとも二つの第一導線２０と、少なくとも二つの第二導線３０とからなる。発光素子は、二つの第一端子１１と、二つの第二端子１２を備える。第一導線２０は、それぞれの一端が第一端子１１と結合するとともに、他端が外部電源と電気的に接続される。第二導線３０は、それぞれの一端が第二端子１２と結合するとともに、他端が互いに結合することにより、第一導線と第二導線と発光素子が回路を形成する。【選択図】図２
0003187023.tif 000002
【実用新案登録請求の範囲】
【請求項１】
少なくとも一つの発光素子と、少なくとも二つの第一導線と、少なくとも二つの第二導線とからなるコードの構造であって、
前記発光素子は、二つの第一端子と、二つの第二端子を備え、
前記第一導線は、それぞれの一端が前記第一端子と結合するとともに、他端が外部電源と電気的に接続され、
前記第二導線は、それぞれの一端が前記第二端子と結合することを特徴とする、コードの構造。
【請求項２】
前記第二導線は、前記第二端子と結合した一端の他端同士が互いに結合することにより、前記発光素子と、前記第一導線と、前記第二導線が回路を形成することを特徴とする、請求項１に記載のコードの構造。
【請求項３】
前記第二導線は更に、前記第二端子と結合した一端の他端が電子設備と結合することを特徴とする、請求項１に記載のコードの構造。
【請求項４】
前記第一導線は、絶縁材質の第一カバー体に収容され、
前記第二導線は、絶縁材質の第二カバー体に収容されることを特徴とする、請求項１に記載のコードの構造。
【請求項５】
前記第一カバー体同士は、互いに結合され、
前記第二カバー体同士は、互いに結合されることを特徴とする、請求項４に記載のコードの構造。
【請求項６】
前記発光素子は、ＳＭＤ  ＬＥＤであることを特徴とする、請求項１に記載のコードの構造。
【考案の詳細な説明】
【技術分野】
【０００１】
本考案は、導線に関し、特に少なくとも一つのＳＭＤ  ＬＥＤと結合するとともに、発光機能を備えた、コードの構造に関する。
【背景技術】
【０００２】
現在市販されている導線は、機能において、電力及び電気負荷と連結されることにより、回路を完成させて各種電子・機械などの装置に通電して起動するという、電気的接続の用途しか提供していない。
【０００３】
従来の各種電子製品、例えば、携帯電話充電器・ドライヤー・扇風機、或いはその他の各種大型家電を使用する際、コードを収納して、各種家電のコードが乱雑にならないようにすることが一般的な習慣になっている。使用者にとって、家電のコードは必需部品だが、一度コンセントに差し込んだ後、どうにかしてコードを収納しなければならず、場合によっては、その他の道具によって、しっかりと収納するという目的を果たさなければならないため、全く利便性を欠いている。加えて、コードは電器の一部でありながら、業界において、コード自体に対して設計を行うことによりコードが電力伝達以外の機能を備えるようにするための構造は少ない。
【０００４】
また、家庭かオフィスかを問わず、パソコン及びその他の家電の数は非常に多く、コードの数が多すぎることもあり、コードと電器の対応関係を判断しにくい。よって、コードを引き上げて数多くあるコードの中から、必要な、或いは対応するコードを探し出さなければならないことが往々にしてある。更には、電器を壁際等から動かさなければ、それぞれのコードを探したり、整理したりすることが難しい。以上の数多くの欠点は、長年にわたり改善されていない。
【考案の概要】
【考案が解決しようとする課題】
【０００５】
そこで、本考案は、単独での電飾としての使用、及び各種電子設備或いは各種物品と結合して導線の付加価値を加えることが可能であると同時に、使用者が意図的にコードを隠す必要がなく、コードが住居或いはオフィスにおける最も自然な装飾品となるようにすることができる、コードの構造を提供することを主な目的とする。
【０００６】
また、本考案は、使用者にとって更に便利且つ素早い配置が可能であり、使用者が自分で配置を行い、必要な電子設備或いはその他の物品と結合することができるとともに、別途各種電球及び配線を購入する必要がない、コードの構造を提供することを目的とする。
【課題を解決するための手段】
【０００７】
本考案のコードの構造は、少なくとも一つの発光素子と、少なくとも二つの第一導線と、少なくとも二つの第二導線とからなる。前記発光素子は、二つの第一端子と、二つの第二端子を備える。前記第一導線は、それぞれの一端が第一端子と結合するとともに、他端が外部電源と電気的に接続される。前記第二導線は、それぞれの一端が第二端子と結合するとともに、他端が互いに結合することにより、第一導線と第二導線と発光素子が回路を形成する。
【図面の簡単な説明】
【０００８】
【図１】本考案のコードの構造の斜視外観図である。
【図２】本考案のコードの構造の斜視分解図である。
【図３】本考案のコードの構造の第一使用状態を示した概略図である。
【図４】本考案のコードの構造の第二使用状態を示した概略図である。
【考案を実施するための形態】
【０００９】
まず、図１、及び図２を参照する。本考案のコードの構造１は、一つの発光素子１０と、少なくとも二つの第一導線２０と、少なくとも二つの第二導線３０とからなる。
【００１０】
発光素子１０は、二つの第一端子１１と、二つの第二端子１２を備えるとともに、ＳＭＤ（Ｓｕｒｆａｃｅ  Ｍｏｕｎｔ  Ｄｅｖｉｃｅ、略称ＳＭＤ）ＬＥＤをなす。
【００１１】
第一導線２０は、それぞれの一端が第一端子１１と結合するとともに、他端が外部電源と電気的に接続される。本考案のコードの構造１には、ＤＣ１２Ｖ、ＡＣ１１０〜２２０Ｖ、及び９Ｖ電池が適用される。
【００１２】
第二導線３０は、それぞれの一端が第二端子１２と結合する。
【００１３】
上述の第一導線２０は、それぞれ絶縁材質の第一カバー体２１に収容され、第二導線３０は、それぞれ絶縁材質の第二カバー体３１に収容される。
【００１４】
第一カバー体２１は、互いに結合されて一体成型される。第二カバー体３１は、互いに結合されて一体成型される。
【００１５】
（実施例１）
図３を参照する。図は、本考案のコードの構造１の第一使用状態を示した概略図である。第一導線２０における第一端子１１と結合した一端の逆側は、プラグ４０と電気的に接続される。これにより、コンセント（図示せず）に挿設されて、発光素子１０を発光させることができる。また、第二導線３０における第一端子１１と結合した一端の他端は、電子設備５０（例えば、充電器接続ポート、或いは各種家電等）と結合されて、使用者が電子設備５０を使用した時に、視覚的変化の感覚、及びその面白みを加えることができる。
【００１６】
（実施例２）
図４を参照する。図は、本考案のコードの構造１の第二使用状態を示した概略図である。本実施例において、第一導線２０における第一端子１１と結合した一端の逆側は、外部電源（図示せず）と電気的に接続される。また、第二導線３０における第一端子１１と結合した一端の他端は、互いに結合することにより、第一導線２０と第二導線３０と発光素子１０が回路を形成する。本考案のコードの構造１は、ムードを醸し出す電飾として用いることができ、使用者の需要に応じて、クリスマスツリー６０、或いはその他の各種用品等に取り付けて装飾等を施すことができるというように、用途が幅広い。
【符号の説明】
【００１７】
１            コードの構造
１０   発光素子
１１   第一端子
１２   第二端子
２０   第一導線
２１   第一カバー体
３０   第二導線
３１   第二カバー体
４０   プラグ
５０   電子設備
６０   クリスマスツリー
【図１】
0003187023.tif 000003
【図２】
0003187023.tif 000004
【図３】
0003187023.tif 000005
【図４】
0003187023.tif 000006